(57)【要約】【課題】  扉をキャビネットの被掛け止め部に掛け止めるフック部材を安定して強固に支持することができるようにする。【解決手段】  被掛け止め部４に掛け止めるべきフック部材１４とこのフック部材１４を適当なピンと長孔との結合によって扉２に幅方向に水平運動するための揺動部材２０とは、ケース１２の隔壁１２Ｐによって分離されている上下の空間にそれぞれ配置され、フック部材１４は、フック部１４Ｆの両側に支持部分１４Ｓ１、１４Ｓ２を設けてこれらの両側の支持部分１４Ｓ１、１４Ｓ２でケース１２の後壁１２ＲＷに対接して保持されている。【選択図】    図４
2006200143.tif 000002
【特許請求の範囲】
【請求項１】
キャビネットに開閉自在に取付けられる扉の自由端縁の内側に取付けられるケースと、前記ケースに取付けられ前記扉の把手の変位に連動して前記扉の閉位置で前記キャビネット側の被掛け止め部に掛け止めされるロック位置と前記扉の開位置で前記被掛け止め部から外れる非ロック位置との間を前記扉の幅方向に水平に変位するフック部材と、前記把手の変位によって回転する回転軸を含み前記回転軸の回転によって前記フック部材を変位するように操作するフック部材操作手段とから成る扉の掛け止め装置において、前記フック部材は、フック部分とその両側に延びる支持部分とから成り、前記フック部材操作手段は、前記回転軸の回転によって前記フック部材を前記扉の幅方向に運動させる回転・直線運動変換機構から成り、前記フック部材と前記フック部材操作手段とは前記ケース内の異なる高さ位置に配置され、前記フック部材の両側の支持部分は、前記ケースに保持されていることを特徴とする扉の掛け止め装置。
【請求項２】
請求項１に記載の扉の掛け止め装置において、前記回転・直線運動変換機構は、前記回転軸と前記フック部材との間に設けられた揺動部材を含み、前記揺動部材は、前記回転軸の回転を前記フック部材の前記扉の幅方向への運動に変換するように前記回転軸と前記フック部材とにそれぞれ連結されていることを特徴とする扉の掛け止め装置。
【請求項３】
請求項２に記載の扉の掛け止め装置であって、前記回転・直線運動変換機構の揺動部材は、前記ケースに枢軸を介して枢動自在に支持され、前記揺動部材の一部は、前記回転軸の回転によって前記揺動部材を前記枢軸を中心に揺動するように前記回転軸に連結され、前記揺動部材の他の一部は、前記フック部材を前記扉の幅方向に移動するように前記フック部材に連結されていることを特徴とする扉の掛け止め装置。
【請求項４】
請求項３に記載の扉の掛け止め装置であって、前記揺動部材と前記フック部材は、前記揺動部材と前記フック部材とのいずれか一方の部材に固定されたピンが他方の部材の長孔に係入してピン結合されていることを特徴とする扉の掛け止め装置。
【請求項５】
請求項２乃至４にいずれかに記載の扉の掛け止め装置であって、前記ケースは、隔壁を有し、前記フック部材は、前記ケース内で前記隔壁の一方の空間内に配置され、前記揺動部材は、前記ケース内で前記隔壁の他方の空間内に配置され、前記揺動部材の枢軸は、前記隔壁に取付けられていることを特徴とする扉の掛け止め装置。
【発明の詳細な説明】
【技術分野】
【０００１】
本発明は、例えば観音開き式扉の如き前開き式の扉をキャビネットに掛け止めして扉が開くのを拘束する扉の掛け止め装置に関し、特に、フック部材の保持手段を改良した扉の掛け止め装置の改良に関するものである。
【背景技術】
【０００２】
一般に、観音開き式扉の掛け止め装置は、キャビネットに開閉自在に取付けられる観音開き式の１対の扉の自由端縁の内側に取付けられ扉の把手の変位に連動して扉の閉位置でキャビネット側の被掛け止め部に掛け止めされるロック位置と扉の開位置で被掛け止め部から外れる非ロック位置との間を変位するフック部材と、把手の変位によって回転する回転軸を含みこの回転軸の回転によってフック部材を変位するように操作するフック部材操作手段とから成っている(特許文献１参照)。
【０００３】
この従来技術の扉の掛け止め装置は、フック部材をロック位置と非ロック位置との間を水平に横方向に変位するように取付けられ、フック部材操作手段は、把手のハンドルの回転に連動して回転する回転軸とフック部材との間に配置されて回転軸の回転をフック部材の水平変位に変換する運動変換部材を有する。この運動変換部材は、回転軸の回転によって揺動するアームから成り、このアームは、フック部材の長孔に係入するピンを先端に有する。
【０００４】
扉を開くように把手のハンドルを回転すると、回転軸が回転し、これによってアームが揺動し、従ってアームの先端ピンがフック部材の長孔内でフック部材の移動方向とは直角の方向に変位しながらフック部材を横方向に移動してキャビネットの被掛け止め部から外す。扉を閉じると、フック部材の傾斜面がキャビネットの被掛け止め部に係合してフック部材をロック位置に向けて水平移動するので、フック部材は、キャビネットの被掛け止め部に係止して扉をロックする。
【０００５】
しかし、この従来技術の扉の掛け止め装置は、フック部材を水平に横移動するために、運動変換部材をフック部材と同じ平面上に配置しなければならないため、フック部材の保持部は、この運動変換部材に干渉することがないようにフック部材の片側から延びているだけであり、従ってフック部材は、ケース内で片持ち状態で保持されている。
【０００６】
このように、フック部材が片持ち状態でケース内に保持されていると、扉のロック状態が不安定である上に、扉に開放方向に無理な力が加わった場合に、フック部材のフック部分が被掛け止め部に強大な力で押し付け力が働くので、被掛け止め部の強度が小さいと、被掛け止め部を破損したり、フック部材がケースから脱落して掛け止め装置を破損したりする虞があった。
【０００７】
【特許文献１】特開平１１−７１９５２号公報
【発明の開示】
【発明が解決しようとする課題】
【０００８】
本発明が解決しようとする課題は、フック部材を安定した状態でケース内に保持することができ、また扉に無理な力が加わってもキャビネット側の被掛け止め部が破損したりフック部材がケースから脱落したりして装置を破損することがないようにした扉の掛け止め装置を提供することにある。
【課題を解決するための手段】
【０００９】
本発明の課題解決手段は、キャビネットに開閉自在に取付けられる扉の自由端縁の内側に取付けられるケースと、このケースに取付けられ扉の把手の変位に連動して扉の閉位置でキャビネット側の被掛け止め部に掛け止めされるロック位置と扉の開位置で被掛け止め部から外れる非ロック位置との間を扉の幅方向に水平に変位するフック部材と、把手の変位によって回転する回転軸を含みこの回転軸の回転によってフック部材を変位するように操作するフック部材操作手段とから成る扉の掛け止め装置において、フック部材は、フック部分とその両側に延びる支持部分とから成り、フック部材操作手段は、回転軸の回転によってフック部材を扉の幅方向に運動させる回転・直線運動変換機構から成り、フック部材とフック部材操作手段とは、ケース内の異なる高さ位置に配置され、フック部材の両側の支持部分は、ケースに保持されていることを特徴とする扉の掛け止め装置を提供することにある。
【００１０】
本発明の課題解決手段において、好ましい形態では、回転・直線運動変換機構は、回転軸とフック部材との間に設けられた揺動部材を含み、この揺動部材は、回転軸の回転をフック部材の前扉の幅方向への運動に変換するように回転軸とフック部材とにそれぞれ連結されている。
【００１１】
この揺動部材は、ケースに枢軸を介して枢動自在に支持され、揺動部材の一部は、回転軸の回転によって揺動部材を枢軸を中心に揺動するように回転軸に連結され、揺動部材の他の一部は、フック部材を扉の幅方向に移動するようにフック部材に連結されている形態とすることができる。
【００１２】
この場合、揺動部材とフック部材は、揺動部材とフック部材とのいずれか一方の部材に固定されたピンが他方の部材の長孔に係入してピン結合されているのが好ましい。
【００１３】
また、ケースは、隔壁を有し、フック部材は、ケース内で隔壁の一方の空間内に配置され、揺動部材は、ケース内で隔壁の他方の空間内に配置され、揺動部材の枢軸は、隔壁に支持されている形態とすることができる。
【発明の効果】
【００１４】
本発明によれば、上記のように、フック部材とフック部材操作手段とはケース内の異なる高さ位置に配置されているので、フック部材は、フック部分の両側に延びる支持部分を有してこれらの支持部分でケースに保持させることができ、従って、扉のロック状態が安定し、また扉に開放方向に無理な力が加わっても、フック部材のフック部分がキャビネット側の被掛け止め部に強大な押し付け力が働くことがなく、被掛け止め部を破損したり、ケースが破損したりする事態が生ずることがない。
【発明を実施するための最良の形態】
【００１５】
本発明の実施の形態を図面を参照して詳細に述べると、図面は、観音開き式扉に本発明を適用した場合の扉の掛け止め装置１０の一例を示し、図１に示すように、この扉の掛け止め装置１０は、ロッカーの如き家具類のキャビネット(箱)１の開口１Ａに開閉自在に取付けられる観音開き式の１対の扉２の各々の上下に取付けられているが、以下一方の扉の上方に取付けられたものについてのみ説明する。
【００１６】
扉の掛け止め装置１０は、各扉２の自由端縁２Ｆの内側の略Ｕ字形の取付壁２Ｗ（図４参照）に取付けられるケース１２と、このケース１２に配置されたフック部材１４と、同様にケース１２内に配置され把手３の変位によってフック部材１４を変位するように操作するフック部材操作手段１６とから成っている。
【００１７】
ケース１２は、図６乃至図８（特に図７）に示すように、上方に偏倚して隔壁１２Ｐを有し、フック部材１４は、ケース１２の隔壁１２Ｐよりも上方の空間ＵＳに配置され、フック部材操作手段１６は、ケース１２の隔壁１２Ｐよりも下方の空間ＬＳに配置されている。なお、隔壁１２Ｐよりも上方とか下方とかの位置関係は、扉２の上方に取付けられた掛け止め装置１０についてのものであり、扉２の下方に取付けられた掛け止め装置１０においては上下が逆となる。
【００１８】
フック部材１４は、図９に示すように、フック部分１４Ｆとその両側に延びる支持部分１４Ｓ１、１４Ｓ２とから成り、図示の形態では、支持部分１４Ｓ１、１４Ｓ２は、１つの帯状板片１４Ｓから成り、フック部分１４Ｆは、その中間よりやや一方に片寄って取付けられているが、これらは、プラスチック等によって一体に成型されているのが好ましい。
【００１９】
このフック部材１４は、その支持部分１４Ｓ１、１４Ｓ２をケース１２の隔壁１２Ｐの上方の空間に摺動自在に配置されているが、この摺動方向は、扉２の幅方向である。フック部材１４がケース１２から外れることがないように、ケース１２は、上縁の前後両側に、複数の弾性爪１２Ｃを有し、これらの弾性爪１２Ｃは、フック部材１４の支持部分１４Ｓ１、１４Ｓ２が爪を変形させながらケース１２内に入り込むことができるように傾斜面１２ＣＬを有する。
【００２０】
フック部材１４は、扉２の把手（ハンドル）３の変位に連動して扉２の閉位置でキャビネット１側の被掛け止め部４に掛け止めされるロック位置（図３（Ａ）参照）と、扉２の開位置で被掛け止め部４から外れる非ロック位置（図３（Ｂ）参照）との間をケース１２内で扉２の幅方向に水平に変位する。
【００２１】
フック部材操作手段１６は、把手３の変位によって回転する回転軸１８と、この回転軸１８の回転によってフック部材１４を扉２の幅方向に運動するように回転軸１８とフック部材１４との間に設けられた揺動部材２０を含む回転・直線運動変換機構２２とから成っている。
【００２２】
扉２は、正面の自由端側に把手３が入り込む凹み２Ｒを有し、把手３は、図示の形態では、図３に示すように、凹み２Ｒ内で回転軸１８に固定されてこの回転軸１８を回転するように設けられている。図３に示すように、回転軸１８は、図示の形態では、四角形の断面を有し、この回転軸１８は、上下の掛け止め装置１０内に延びている。従って、把手３を扉２を開く方向に略３０度回転すると（図３（Ｂ）の位置）、回転軸１８も同方向に同角度回転し、後に述べるように、フック部材１４を非ロック位置に移動する。
【００２３】
揺動部材２０は、図３乃至図５に示すように、略三角形状の平板から成り、揺動部材２０は、この三角形状の平板の第１の頂点２０Ｔ１付近でケース１２の隔壁１２Pに枢軸２０Ｐによって枢動自在に支持され、この揺動部材の一部である第２の頂点付近部分２０Ｔ２は、回転軸１８の回転によって揺動部材２０を枢軸２０Ｐを中心に揺動するように回転軸１８に連結され、揺動部材２０の他の一部である第３の頂点付近部分２０Ｔ３は、フック部材１４を扉２の幅方向に移動するようにフック部材１４に連結されている。
【００２４】
図示の形態では、図３に示すように、ケース１２の隔壁１２Ｐの下側の空間ＬＳ（揺動部材２０が配置されているのと同じ空間）にアーム２４Ａ付の回転筒２４が回転自在に保持され、回転軸１８は、この回転筒２４を貫通して回転筒２４と一緒に回転するように回転筒２４に固定されている。図示の形態では、回転軸１８は正方形の横断面を有する部分を有し、回転筒２４は、この正方形の横断面を有する部分に相応する正方形の横断面の貫通孔２４Ｈを有し、この正方形断面部分で一緒に回転するように固定されている。
【００２５】
図示の形態では、揺動部材２０の第２の頂点付近部分２０Ｔ２と回転軸１８との連結は、アーム２４Ａに設けられたピン２６を揺動部材２０の第２の頂点付近部分２０Ｔ２に設けられた緩孔２０Ｈに係入して回転軸１８、即ちアーム２４Ａの回転を揺動部材２０に伝達して揺動部材２０を揺動しているが、このピン２６は、揺動部材２０側に設けてアーム２４Ａの先端に設けられた緩孔に係入してもよい。
【００２６】
また、図示の形態では、揺動部材２０の第３の頂点付近部分２０Ｔ３とフック部材１４とは、揺動部材２０の第３の頂点付近部分２０T３に固定して取付けられたピン２８をフック部材１４のフック部１４Fに設けられた長孔１４Hに係入して連結されている。このピン連結は、揺動部材２０の回転運動をピン２８を介してフック部材１４の水平横運動に変換しつつ伝動する機能を有する。なお、ピン２８は、揺動部材２０に固定するのではなく、フック部材１４に固定して取付けてこのピンを揺動部材２０側に設けられた長孔に係入して揺動部材２０とフック部材１４とをピン結合してもよい。
【００２７】
被掛け止め部４は、図１及び図３に示すように、キャビネット１の上縁から垂下する端縁片１Ｆの切欠き１Ｎの縁から成っており、扉２を閉じると、フック部材１４は、切欠き１Ｎを通過して端縁片１Ｆの内側に入り込み、フック部材操作手段１６の操作によってフック部材１４が水平横運動してフック部１４Ｆが被掛け止め部４に掛け止めされる。
【００２８】
本発明の掛け止め装置１０は、図１０に示すようにして組み立てられる。まず、図１０（ａ）に示すように、フック部材１４をケース１２の弾性爪１２Ｃの傾斜面１２ＣＬに沿って押し込んでフック部材１４をケース１２の隔壁１２Ｐの上方空間ＵＳに摺動自在に支持する(図１０（ｂ）参照)。なお、図４、図１０（ａ）に示すように、ケース１２は切欠き窓１２Ｗを有し、フック部材１４のフック部１４Ｆは、この切欠き窓１２Ｗから突出する。
【００２９】
次いで、図１０（ｃ）に示すように、ケース１２を逆向きにして揺動部材２０をケース１２の隔壁１２Ｐよりも下方空間ＬＳ（逆向きになっているので図１０（ｃ）では上方に位置する）内に組み込んで、この揺動部材２０の枢軸貫通孔２０ＥＨ（図５も参照）が隔壁１２Ｐから起立する枢軸２０Ｐに嵌合し、揺動部材２０のピン２８がフック部材１４の長孔１４Ｈに係入するようにする（図１０（ｄ１）、（ｄ２）参照)。
【００３０】
最後に、アーム２４Ａ付きの回転筒２４を揺動部材２０と同じ空間ＬＳに組み込んで、アーム２４Ａのピン２６を揺動部材２０の緩孔２０Ｈに係入する（図１０（ｆ１）（ｆ２）参照）。図５及び図１０（ｆ２）から解るように、回転筒２４は、ケース１２の空間ＬＳに設けられた円弧状の１対の支持壁１２Ｓに回転自在に支持される。また、ケース１２は、これらの１対の支持壁１２Ｓの間に弾性爪１２Ｃ”を有し、この爪１２Ｃ”は、回転筒２４に弾性的に係止してこの回転筒２４をケース１２から抜けないようにケース１２に保持している。なお、回転筒２４は、この弾性爪１２Ｃ”を外側に撓ませながらケース１２内に入り込み、弾性爪１２Ｃ”は、回転筒２４がケース１２の隔壁１２Ｐに着地したときに回転筒２４に係止される。
【００３１】
この掛け止め装置１０は、図１、図４に示すように、扉２の取付壁２Ｗに組み込んで取付けられ、その後、回転筒２４に把手３によって回転される回転軸１８を貫通させる。また、ケース１２は、その後壁１２ＲＷに弾性爪１２Ｃ’を有し、この弾性爪１２Ｃ’は、扉２の取付壁２Ｗの係止孔２ＷＨに係入してケース１２を取付壁２Ｗに固定する。なお、図４において、符号２Ｎは、ケース１２の切欠き窓１２Ｗに相応して設けられてフック部材１４が突出する切欠き窓である。
【００３２】
次に、本発明の掛け止め装置１０の使用状態を述べると、図３（Ａ）に示すように、扉２をキャビネット１に閉じた状態では、フック部材１４のフック部１４Ｆが被掛け止め部４に係止して扉２をロックしている。
【００３３】
この状態から、扉２を開くため、把手３を手前に引くと、回転軸１８が把手３と同方向に回転し、従って図３（Ｂ）に示すように、回転筒２４のアーム２４Ａを介して揺動部材２０を時計方向（図３の左側の装置）又は反時計方向（図３の右側の装置）に揺動するので、フック部材１４は、右又は左に水平横運動してフック部１４Ｆが被掛け止め部４から外れる。
【００３４】
従って、図３(Ｃ)に示すように、把手３によって扉２を手前に引いて開くことができる。フック部材１４は、図示しないばねによって通常ではロック位置側に向けて付勢されているので、把手３から手を離すと、図３（Ｃ）の実線で示す右側のフック部材１４のようにロック位置に戻る。この状態から扉２を閉じると、フック部材１４のフック部１４Ｆは、その傾斜面１４ＦＬが被掛け止め部４の縁に係合してばねに抗して非ロック位置に押し込まれながら切欠き１Ｎを通過し、フック部１４Ｆの頭が切欠き１Ｎを越えると、ばねによって自動的に図３(Ａ)に示すロック位置に戻る。
【００３５】
本発明の特徴は、ケース１２が隔壁１２Ｐによって上下の空間に分離してそれぞれの空間にフック部材１４とフック部材操作手段１６（揺動部材２０）とが配置されているので、これらの部材は、ケース内の異なる高さ位置に配置され、このため、フック部材１４は、フック部１４Ｆの両側に支持部分１４Ｓ１、１４Ｓ２を設けてこれらの両側の支持部分１４Ｓ１、１４Ｓ２でケース１２の後壁１２ＲＷに対接して保持させることができることにある。なお、本発明は、フック部材１４がフック部１４Ｆの両側で支持することができれば、隔壁１２Ｐを必ずしも設ける必要はなく、揺動部材２０がフック部材１４に対してケース１２の高さ方向にずれて配置されていればよい。
【００３６】
また、上記実施の形態では、回転・直線運動変換機構２２は、回転筒２４とフック部材１４との間に配置されている揺動部材２０を含んでいたが、この揺動部材２０を省略して回転筒２４のアーム２４Ａを直接フック部材１４に回転・直線運動変換するように連結してもよい。
【産業上の利用可能性】
【００３７】
本発明によれば、フック部材とこのフック部材を扉の幅方向に運動するフック操作手段とは同じ平面上ではなく、高さ方向にずらせて配置しているので、フック部材はフック操作手段に干渉することなく、フック部分の両側をケースに保持させることができ、従ってフック部材を安定に保持することができ、またフック部材が被掛け止め部に大きな力で加わることがあっても、フック部材が支持部分で破損したり、ケースを破損したりすることがなく、産業上の利用性が増大する。
【図面の簡単な説明】
【００３８】
【図１】本発明による掛け止め装置を備えた観音開き式扉付きキャビネットの一方の扉を開いた状態の斜視図である。
【図２】図１のキャビネットの扉の拡大背面図である。
【図３】本発明の掛け止め装置の使用状態を示し、同図（Ａ）は、扉が閉じてロックされた状態の上面図、同図（Ｂ）は、扉を開こうとする状態の上面図、同図（Ｃ）は扉を開いた状態の上面図である。
【図４】本発明の装置を扉の取付壁に取り付ける前の状態の斜視図である。
【図５】本発明の装置のケースを切り開いて装置の主要部分を下側から俯瞰した状態の斜視図である。
【図６】本発明の装置を扉の取付壁に取り付けた状態の側面図である。
【図７】図６と同じ状態であるが、その垂直断面図である。
【図８】本発明の装置を扉の取付壁に取り付ける前の状態を示し、同図（Ａ）は、まだケースが扉の取付壁に係入していない状態の垂直断面図、同図（Ｂ）は、ケースが扉の途中まで係入した状態の垂直断面図である。
【図９】フック部材を示し、同図（Ａ）は、その平面図、同図（Ｂ）はその側面図である。
【図１０】本発明の装置を組み立てる状態を示し、同図（Ａ）は、ケースにフック部材を組み込む直前の分解斜視図、同図（Ｂ）は、フック部材を組み込んだ状態の斜視図、同図（Ｃ）は、ケースを逆向きにして揺動部材を組み込む直前の状態の分解斜視図、同図（Ｄ１）（Ｄ２）は、揺動部材を組み込んだ状態の斜視図と平面図、同図（Ｅ）は、回転筒を組み込む直前の状態の分解斜視図、同図（Ｆ１）（Ｆ２）は、回転筒を組み込んだ状態の斜視図と平面図である。
【符号の説明】
【００３９】
１      キャビネット
１Ａ    開口
１Ｆ    端縁片
１Ｎ    切欠き
２      扉
２Ｆ    自由端縁
２Ｎ    切欠き
２Ｒ    凹み
２ＲＷ  後壁
２Ｗ    取付壁
２ＷＨ  係止孔
３      把手
４      被掛け止め部
１０      扉の掛け止め装置
１２      ケース
１２Ｃ、１２Ｃ’、１２Ｃ”  弾性爪
１２ＣＬ  傾斜面
１２Ｐ    隔壁
１２Ｗ    切欠き窓
１４      フック部材
１４Ｆ    フック部分
１４Ｈ    長孔
１４Ｓ１  支持部分
１４Ｓ２  支持部分
１４Ｓ    帯状板片
１６      フック部材操作手段
１８      回転軸
２０      揺動部材
２０ＥＨ  枢軸貫通孔
２０Ｈ    緩孔
２０Ｐ    枢軸
２０Ｔ１、２０Ｔ２、２０Ｔ３  第１乃至第３の頂点付近部分
２２      回転・直線運動変換機構
２４      回転筒
２４Ａ    アーム
２６      ピン
２８      ピン
ＵＳ      上部空間
ＬＳ      下部空間
【図１】
2006200143.tif 000003
【図２】
2006200143.tif 000004
【図３】
2006200143.tif 000005
【図４】
2006200143.tif 000006
【図５】
2006200143.tif 000007
【図６】
2006200143.tif 000008
【図７】
2006200143.tif 000009
【図８】
2006200143.tif 000010
【図９】
2006200143.tif 000011
【図１０】
2006200143.tif 000012